(57)【特許請求の範囲】
【請求項１】
胴体１上に配設した引手取付部６に引手２の枢軸７を嵌入できる凹部９を設け、該凹部９に対し倒伏変形可能な支持片８を立設するとともに、支持片８に対し倒伏変形可能な補強片１０を並設したことを特徴とするスライドファスナー用スライダー。
【請求項２】
支持片８と補強片１０とを凹部９を挟んで対向的に配設してなる請求項１記載のスライドファスナー用スライダー。
【請求項３】
凹部９の一側に変形不能な支持柱１８を立設するとともに、他側に支持片８と補強片１０とを立設してなる請求項１記載のスライドファスナー用スライダー。
【請求項４】
凹部９は胴体１の上翼板３または下翼板４の表面よりも突出した位置に凹設してなる請求項１、２または３記載のスライドファスナー用スライダー。
【請求項５】
支持片８と補強片１０との間には凹部９よりも浅い凹溝部１１を凹設してなる請求項１、２、３または４記載のスライドファスナー用スライダー。
【請求項６】
支持片８は補強片１０よりも丈が高く突出した形態に配設してなる請求項１、２、３、４または５記載のスライドファスナー用スライダー。
【請求項７】
支持片８と補強片１０の外方頂面に傾斜するテーパー面１２、１３をそれぞれ形成してなる請求項１、２、３、４、５または６記載のスライドファスナー用スライダー。
【請求項８】
支持片８または補強片１０の前後縦方向に切目１５、１６を刻設し、左右に分割してなる請求項１、２、３、４、５、６または７記載のスライドファスナー用スライダー。
【請求項９】
支持片８における補強片１０との対向面に、補強片１０の先端が係止できる係止部１７を配設してなる請求項１、２、３、４、５、６、７または８記載のスライドファスナー用スライダー。
【発明の詳細な説明】
【０００１】
【産業上の利用分野】
この発明は、スライドファスナーにおける各種スライダーの胴体に、開閉操作用の引手を強固に取付けるためのスライドファスナー用スライダーの引手取付機構に関するものである。
【０００２】
【従来の技術】
従来、スライドファスナー用スライダーの胴体に引手を簡単に取付ける引手取付機構は、一般的に知られているものとしては、図１４に示すようにスライダー胴体の上面に一対の先細状の突片を立設し、その突片間に引手の枢軸を嵌入し、突片の先端を加締めて圧潰することによって、引手の枢軸を嵌装し引手を胴体に取付けていた。
【０００３】
また、図１５に示すように、フック状の引手取付杆を胴体の上面に傾倒状に立設し、胴体と取付杆との間に引手の枢軸を嵌入し、取付杆を押圧して胴体に圧接することによって、引手の枢軸を嵌装し引手を胴体に取付けていた。
【０００４】
【発明が解決しようとする課題】
前項で述べた公知の第一例は、一対の先細状の突片を加締め加工すると突片の基部は変形せず、先端部分が変形して引手の枢軸を封止するので、スライダーの摺動操作の際、引手の引張り動作によって突片の先端部分が容易に開口分離し、引手が抜脱するという問題点があった。
【０００５】
また、公知の第二例の場合は、取付杆を胴体に加締め加工すると、取付杆全体を胴体に圧接しなければならないので、取付杆の基部に大きな荷重がかかり、それによって基部にクラックが生じ易く、特に小型のスライダーは破損するという問題点があった。
【０００６】
この発明は、上述の問題点を解消するため発明されたものであり、この発明のスライドファスナー用スライダーは、胴体上に配設された引手取付部に引手を取付ける際、加締め加工による集中荷重を低減し、かつスライダーの摺動操作時における引手の引張り動作によって取付部が開口し、引手が抜脱することのない頑丈なスライダー、しかも引手の装着作業が容易にできるスライダーを提供することが目的である。
【０００７】
【課題を解決するための手段】
前記の目的を達成するため、この発明のスライドファスナー用スライダーは、スライダーの胴体１上に配設した引手取付部６に引手２の枢軸７を嵌入できる凹部９を設け、この凹部９に対し倒伏変形可能な支持片８を立設するとともに、この支持片８の外面に対し倒伏変形可能な補強用の補強片１０を並設したスライドファスナー用スライダーを主な構成としている。
【０００８】
スライダーの胴体１上に立設した支持片８と補強片１０とは凹部９を挟んで対向的に配設するか、あるいは胴体１上に設けた凹部９の一側に変形不能な支持柱１８を立設し、他側に支持片８と補強片１０とを対向的に立設したスライドファスナー用スライダーである。
【０００９】
胴体１上に設けた凹部９は胴体１の上翼板３または下翼板４の表面よりも突出した位置に設けられ、かつ支持片８と補強片１０との間に凹部９よりも浅い凹溝部１１が設けられたスライドファスナー用スライダーである。
【００１０】
胴体１上に立設された支持片８は補強片１０よりも丈が高く突出した形態に配設し、支持片８と補強片１０の先端外方面に傾斜するテーパー面１２、１３をそれぞれ形成したスライドファスナー用スライダーでもある。
【００１１】
さらに胴体１上に立設された支持片８または補強片１０の前後縦方向に切目１５、１６を刻設し、左右に分割したスライダーであり、また支持片８における補強片１０との対向面に、補強片１０の先端が係止できる係止部１７を設けたスライドファスナー用スライダーでもある。
【００１２】
【作用】
この発明のスライドファスナー用スライダーは、上述のような構成であり、各図に示されたスライダーは、それぞれスライダー胴体１の上翼板３または下翼板４に設けた引手取付部６に立設された支持片８間の凹部９、あるいは支持柱１８と支持片８の間に介在する凹部９に引手２の枢軸７を嵌入した後、支持片８を凹部９に向けて、プレス加工によって倒伏変形させ、同時に補強片１０も倒伏変形させて枢軸７を封入し、引手２を胴体１に取付け使用する。
【００１３】
図１〜８は停止機構を備えていない自由スライダーであり、引手２をいかように引張っても自由にスライダーを摺動させることができる。図９、１０は引手２に停止爪２０を設けた停止装置付スライダーであり、引手２を４５°以上に持ち上げて引張るとスライダーを摺動させることができる。
【００１４】
また、図１１は停止爪を備えたスプリング２２を配した自動停止装置付スライダーであり、引手２を４５°以上に持ち上げて引張ることによってスライダーを自由に摺動させることができ、また引手２を手放すとスプリング２２の弾力によって自動的に停止爪が咬合子間に嵌入し、自動的にスライダーは停止する。
【００１５】
図１２は引手取付部６が上翼板３および下翼板４の表面に設けられ、引手２が胴体１の両面に取付られた両面スライダーであり、いずれの引手２を操作してもスライダーを摺動させることができ、テントなどに使用できる。また図１３は引手取付部６が胴体１の表面に横向きに設けられた横型スライダーであり、被服などのポケット、衣装ケースなどに使用できる。
【００１６】
【実施例】
以下、この発明のスライドファスナー用スライダーの実施例について、図面を参照しながら具体的に説明する。
【００１７】
この発明のスライドファスナー用スライダーは、金属のダイカスト成形による胴体１に引手２を装着したものであり、胴体１は上翼板３と下翼板４とを案内柱５によって連結し、上翼板３または下翼板４の表面に引手取付部６が設けられている。
【００１８】
引手取付部６は図１、２に示すように、上翼板３の表面に一対の支持片８を前後に対向的に立設し、一対の支持片８の間には凹部９が形成され、この凹部９は上翼板３の表面よりも突出した位置に設けられ、引手２の枢軸７が嵌入できる形態に形成されている。
【００１９】
一対の支持片８の前後外側に間隔をおいて補強片１０を立設することによって凹溝部１１を形成し、この凹溝部１１は凹部９よりも浅く形成され、しかも補強片１０は支持片８よりも背丈が低く形成されている。支持片８および補強片１０の各先端の前後外側面にはテーパー面１２、１３を設けることによって先細状に形成し、支持片８、補強片１０ともに内側、すなわち凹部９側に倒伏変形が可能な形態に形成されている。
【００２０】
引手取付部６に引手２を取付けるには、図３に示すようにプレス加工機における下型Ｄ上に胴体１を載置し、引手取付部６の凹部９に引手２の枢軸７を嵌入した後、上型Ｄの下降押圧動作によって支持片８、補強片１０を凹部９に向けて倒伏変形させ、先端を加締めて枢軸７を封入し、引手２を胴体１の引手取付部６に取付ける。その際補強片１０は支持片８の外側面を押圧し、支持片８が外側へ変形するのを阻止するとともに、補強する状態で固定される。
【００２１】
胴体１の上翼板３上に設けた引手取付部６に立設された支持片８および補強片１０は、図４に示すように周面が基部から先端に向けて縮小する斜面１４が斜設されている。さらに図５に示すように引手取付部６に立設された支持片８は前後縦方向に切目１５が刻設され、プレス加工時において、容易に変形できるように形成されている。さらに図６に示すように補強片１０に切目１６を刻設することもできるし、また支持片８、補強片１０の双方に切目１５、１６を刻設することもできる。なお、切目１５、１６は引手取付部６の前後縦方向に数個刻設することも可能である。
【００２２】
胴体１の上翼板３上に設けた引手取付部６に立設された支持片８と補強片１０とは、図７に示すように支持片８の先端寄り外方面、すなわち補強片１０側に補強片１０の先端が係止できる段状の係止部１７が凹設され、補強片１０が倒伏変形されたとき係止できるように形成されている。この係止部１７は突条、凹溝などの形態であっても差支えない。
【００２３】
引手取付部６は、図８に示すように胴体１の上翼板３の前端側、すなわち案内柱５の上方側に変形不能な支持柱１８を立設し、この支持柱１８に対し凹部９を挟んで支持片８と補強片１０とを対設することもできる。この形態の引手取付部６は、支持片８および補強部１０を支持柱１８に対し倒伏変形させることによって、引手２の枢軸７を凹部９に嵌装し、引手２を胴体１に取付け、片持ちスライダーに仕上げる。
【００２４】
引手取付部６は、図９に示すように胴体１の上翼板３の表面左右両側に配設するとともに、その間に爪孔１９を穿設し、この爪孔１９に図１０に示すように中央に停止爪２０を備えた引手２を装着して停止機能を備えた停止装置付スライダーに仕上げることもできる。
【００２５】
また引手取付部６は、図１１に示すように胴体１の上翼板３の表面左右両側に配設し、その間に爪孔２１を穿設し、この爪孔２１に停止爪を備えたスプリング２２の停止爪を嵌入させ、引手２の枢軸７がカムの動きをし、引手２の起倒によって停止爪を胴体１内に進退可能に形成した停止機能を備えた自動停止装置付スライダーに仕上げることもできる。
【００２６】
さらに図１２に示すように、引手取付部６は胴体１の上翼板３および下翼板４の表面に配設して胴体の表裏両面に設け、それぞれに引手２を取付けて両面スライダーに仕上げることもできる。また図１３に示すように引手取付部６を胴体１の上翼板３の表面に横向きに配設し、引手２を取付けて横型スライダーに仕上げることも可能である。
【００２７】
なお、以上説明した実施例以外にも、たとえば補強片１０を胴体１の上翼板３または下翼板４上に設けた引手取付部６の前後方向に複数個立設し引手取付部６の強度アップを図ることもできる。
【００２８】
【発明の効果】
この発明のスライドファスナー用スライダーは、以上説明したとおりの構成であり、この構成によって下記の効果を奏する。
【００２９】
この発明のスライドファスナー用スライダーは、胴体上に配設した引手取付部に引手の枢軸が嵌入できる凹部を設け、この凹部に対して倒伏変形可能な支持片を立設し、さらにこの支持片に対し倒伏変形可能な補強片を並設したことによって、引手取付部に引手の枢軸を封入するためのプレス加工時において、集中荷重を支持片と補強片とに分散させることができるので、変形量が小さくとも加締め効果があり、引手取付部にクラックあるいは、破損が生じない、また支持片を背後から補強片が保護、補強しているから、引手のいかなる操作にも耐え、長期にわたって使用できる利点がある。
【００３０】
支持片と補強片とは凹部を挟んで対向的に設置することができ、また凹部の片側に設置し片持ちタイプのスライダーとしても利用できるので、各種のタイプのスライダーに適用でき、利用範囲の拡大を図ることができる。
【００３１】
凹部は胴体の翼板の表面よりも突出した位置に設けているので、引手を安定した状態で装着、保持することができる。また支持片と補強片との間に凹部より浅い凹溝部を設けたので、加締め加工が容易であり、かつ両片の基部が一体であるから強度的に強く、引手のいかなる使用にも耐え得る。
【００３２】
支持片は補強片よりも丈が高く突出しているので、最初に支持片の加締め、次に補強片の加締めができるので、加締め加工が容易であるとともに、的確に加締めることができる。さらに支持片と補強片の先端外面にテーパー面を形成することによって、支持片および補強片を内方へ容易かつ的確に倒伏変形させることができる。
【００３３】
支持片または補強片に前後縦方向の切目を刻設し、左右に分割することによって、加締め加工の容易性を図ることができ、また支持片における補強片との対向面に係止部を設けたので、支持片と補強片とを的確に結合させ、支持片を補強できるから、引手のいかなる操作にも耐え得る利点があるなど、この発明の効果はきわめて顕著である。
【図面の簡単な説明】
【図１】スライドファスナー用スライダーの分解斜視図である。
【図２】同上スライダーにおける胴体の縦断側面図である。
【図３】プレス加工状態を示した縦断側面図である。
【図４】スライダー胴体の平面図である。
【図５】支持片に切目を刻設したスライダー胴体の平面図である。
【図６】補強片に切目を刻設したスライダー胴体の平面図である。
【図７】支持片に係止部を設置したスライダーの縦断側面図である。
【図８】片持ちスライダーの縦断側面図である。
【図９】停止装置付スライダーの平面図である。
【図１０】同上スライダーの縦断側面図である。
【図１１】自動停止装置付スライダーの斜視図である。
【図１２】両面スライダーの側面図である。
【図１３】横型スライダーの平面図である。
【図１４】公知のスライダー胴体の側面図である。
【図１５】他の公知のスライダー胴体の側面図である。
【符号の説明】
１          胴体
２          引手
３          上翼板
４          下翼板
６          引手取付部
７          枢軸
８          支持片
９          凹部
１０          補強片
１１          凹溝部
１２、１３    テーパー面
１５、１６    切目
１７          係止部
１８          支持柱
【図１】
0003621446.tif 000002
【図２】
0003621446.tif 000003
【図３】
0003621446.tif 000004
【図４】
0003621446.tif 000005
【図５】
0003621446.tif 000006
【図６】
0003621446.tif 000007
【図７】
0003621446.tif 000008
【図８】
0003621446.tif 000009
【図９】
0003621446.tif 000010
【図１０】
0003621446.tif 000011
【図１１】
0003621446.tif 000012
【図１２】
0003621446.tif 000013
【図１３】
0003621446.tif 000014
【図１４】
0003621446.tif 000015
【図１５】
0003621446.tif 000016